(57)【特許請求の範囲】
【請求項１】
手持ち式工作機械であって、機械ケーシング（１１）と、機械ケーシング（１１）に結合された握り（１３）と、握り（１３）の背面部（２４）を覆い使用者が押圧面として用いる外殻部材（２５）とが備えられ、しかも、この外殻部材（２５）が、少なくとも２つの取り付け箇所（３０，３１）で握り（１３）又は機械ケーシング（１１）と結合されている形式のものにおいて、
握り（１３）と外殻部材（２５）との間に、押圧方向（２１）にほぼ遊びのない結合が保証される第１取り付け箇所（３０）が設けられ、また、握り（１３）と外殻部材（２５）との間に、押圧方向（２１）に、運動のための遊びの余地が残されている第２取り付け箇所（３１）が設けられており、さらに、機械ケーシング（１１）と外殻部材（２５）との間に、少なくとも１つの減衰部材（４０）が間挿されており、この減衰部材が、予圧を受けて、外殻部材（２５）を、握り（１３）からはなれる方向で機械ケーシング（１１）に設けたストッパ（３８）の方向へ押し付けることを特徴とする、手持ち式工作機械。
【請求項２】
外殻部材（２５）が、基体（２６）と、押圧面を覆う上張り（２７）とから構成されており、上張り（２７）が基体（２６）より軟質である、請求項１記載の手持ち式工作機械。
【請求項３】
外殻部材（２５）が、機械ケーシング（１１）の背面部の壁部（２４）上に、選択的に取り外し可能に配置されている、請求項１又は２記載の手持ち式工作機械。
【請求項４】
第１取り付け箇所（３０）が、外殻部材（２５）から突出している舌状部（３２）によって形成され、この舌状部のところに係止鉤（３３）が形成されており、この係止鉤が、外殻部材（２５）の組み付け位置で握り（１３）に設けられた突起（３４）の後方を掴んでいる、請求項１から３までのいずれか１項記載の手持ち式工作機械。
【請求項５】
第２取り付け箇所（３１）が、外殻部材（２５）から突出しているラグ（３６）によって形成され、このラグが、機械ケーシング（１１）内の受容開口（３７）に係合している、請求項１から４までのいずれか１項記載の手持ち式工作機械。
【請求項６】
受容開口（３７）とラグ（３６）とが押圧方向に対して横方向に設けられており、しかも、受容開口（３７）が、押圧方向でラグ（３６）より広幅である、請求項５記載の手持ち式工作機械。
【請求項７】
外殻部材（２５）に支持面（４１）が形成されており、この支持面が減衰部材（４０）のところに支えられている、請求項１から６までのいずれか１項記載の手持ち式工作機械。
【請求項８】
機械ケーシング（１１）が、手持ち式工作機械の長手方向に分割される２つのケーシング外殻から形成されており、ケーシング外殻を開いて、減衰部材（４０）を、機械ケーシング（１１）内の凹部（４３）にはめ込み可能である、請求項１から７までのいずれか１項記載の手持ち式工作機械。
【請求項９】
外殻部材（２５）が、少なくとも１つの補剛リブ（４５）を有している、請求項１から８までのいずれか１項記載の手持ち式工作機械。
【発明の詳細な説明】
【０００１】
【発明の属する技術分野】
本発明は、手持ち式工作機械であって、機械ケーシングと、機械ケーシングに結合された握りと、握りの背面部を覆い、使用者が押圧面として用いる外殻部材とを備えており、しかも、この外殻部材が、少なくとも２つの取り付け箇所で握り又は機械ケーシングと結合されている形式のものに関する。
【０００２】
【従来の技術】
握りを有し、使用者が押圧面として利用する外殻部材を握りの背面部に備えた手持ち式工作機械は、すでに公知である（ドイツ連邦共和国特許出願公開第１９５３８２５２号明細書）。外殻部材は、その外縁に係合突起を有し、この係合突起は握り内の対応する受容みぞへ係合する。加えて、外殻部材は、握りにねじ固定又は緊締されている。いずれにしても、外殻部材と握りとは、遊びなしに結合されている。外殻部材なしで手持ち式工作機械を作動させることは許されていない。なぜなら、外殻部材によってはじめて、握りが、塵埃や水の侵入から護られるからである。この公知形式の場合、手持ち式工作機械の作動時に生じる振動を、効果的に減衰させることはできない。
【０００３】
さらに、ドイツ連邦共和国特許出願公開第４１２４５７４号明細書により公知のハンマドリルの場合、握りが回り継ぎ手を介して機械ケーシングに取り付けられている。回り継ぎ手に加えて、握りは、ばね装置を介して機械ケーシングと結合されている。この結合形式は、しかし、握りと機械ケーシングとの間のばね行程がばね装置を介してしか制限されていないため、ハンマドリルの取り扱いが難しい。
【０００４】
【発明が解決しようとする課題】
作動時の振動が効果的に減衰され、かつ取り扱い性のよい手持ち式工作機械を提供する。
【０００５】
【課題を解決するための手段】
この課題は、次のようにすることにより解決された。すなわち、握りと外殻部材との間に、押圧方向にほぼ遊びのない結合が保証される第１取り付け箇所を設け、また、握りと外殻部材との間に、押圧方向に、運動のための遊びの余地が残されている第２の取り付け箇所を設けるようにし、さらに、機械ケーシングと外殻部材との間に、少なくとも１つの減衰部材を間挿し、この減衰部材が、予圧を受けて、外殻部材を、握りからはなれる方向で機械ケーシングに設けたストッパの方向へ押し付けるようにしたのである。
【０００６】
【発明の効果】
本発明の利点は、効果的な衝撃緩衝が得られると同時に、手持ち式工作機械の良好な取り扱い性が保証され、しかも、外殻部材を取り外しても、手持ち式工作機械が妨げなしに機能し得る点である。
【０００７】
請求項２以下の各項に記載の措置によって、本発明の手持ち式工作機械の別の有利な構成及び改良が可能である。
【０００８】
【発明の実施の形態】
図１には、手持ち式工作機械１０の後方部分が示されている。手持ち式工作機械１０は、機械ケーシング１１を有し、この機械ケーシングには、とりわけ駆動モータ１２が収納されている。公知形式で２つのケーシング外殻から構成されている機械ケーシング１１には、同じく２つの外殻で構成された握り１３が一体形成されている。握り１３内には、スイッチ１４が配置され、駆動モータ１２は、押しボタン１５を介してスイッチ１４を操作することによって制御可能である。握り１３の自由端１８には、給電ケーブル用の補強スリーブ１９が取り付けられている。握り１３は、公知のピストルの握り様の形状を有し、この形状により、使用者は、工具の送り方向に押圧力を作用させることができる。図示の実施例の場合、手持ち式工作機械１０は、打撃穿孔機械、つまりドリルハンマであり、このドリルハンマでは、ドリルの送りがドリル長手方向に行われるため、押圧力は矢印２１の方向に作用させねばならない。
【０００９】
使用者用の押圧面として役立つのは、主として、握り１３の背面部２４のケーシング壁部である。握り１３のこの背面部２４は、外殻部材２５によって被覆されている。外殻部材２５は硬質の基体２６から成り、基体２６は、押圧面の区域に軟質の上張り２７を有している。
【００１０】
外殻部材２５は、取り付け箇所３０，３１で機械ケーシング１１又は握り１３と結合している。第１取り付け箇所３０は、握り１３の自由端１８の区域に設けられている。握り１３と外殻部材２５との間には、スナップ結合部が設けられている。このスナップ結合部は、基体２６に一体形成された、ばね作用を有する舌状部３２から成っている。外殻部材２５の組み付け位置では、係止鉤３３が、握り１３のケーシングに設けられた突出部３４に係止されるようになっている。
【００１１】
第２取り付け箇所３１は、握り１３の機械側端部の、機械ケーシング１１への延長部の区域に設けられている。取り付けには、押圧方向に対して横方向に外殻部材２５から突出しているラグ３６が役立っている。ラグ３６は、対応して横に延びる、機械ケーシング１１の受容開口３７に係合する。ラグ３６は、その場合、機械ケーシング１１の、ラグのストッパとして役立つオーバーハング３８の内側に当て付けられる。
【００１２】
外殻部材２５のこの特別な取り付け形式によって、第１取り付け箇所３０では、外殻部材２５と握り１３との、押圧方向（矢印２１）でのほぼ遊びのない結合が可能になる。第２取り付け箇所３１では、受容開口３７がラグ３６より明らかに広幅なので、押圧方向（矢印２１）に、移動のための明らかな遊びが存在する。他方、外殻部材２５は、その第１取り付け箇所３０を中心として限界内を旋回可能であり、それにより、ラグ３６は、矢印方向２１への押圧時に、オーバーハング３８に向かい合った、機械ケーシング１１のところのストッパに押し付けられ得る。
【００１３】
手持ち式工作機械１０の打撃作用に基づき、作動中に振動が握り１３へ伝えられる。外殻部材２５と機械ケーシング１１との間には使用者に作用する振動を低減するために、減衰部材４０が間挿されている。外殻部材２５には支持面４１が形成されており、この支持面が減衰部材４０に密着している。減衰部材４０は、対応接触面４２により機械ケーシング１１に対して支えられている。減衰部材４０は、緩衝作用を有する材料製、例えば軟質ゴム製である。
【００１４】
図２には、外殻部材２５が、握り１３から取り外して示されている。握り１３は、外殻部材２５なしでも完全に機能でき、手持ち式工作機械の場合に通常の形式で２つのケーシング外殻から構成されている。これら２つのケーシング外殻は、手持ち式工作機械１０のほぼ長手方向平面で分割されている。手持ち式工作機械１０は、図２に示した形式では、握り１３のところに特別な減衰措置が施されていない従来形式の手持ち式工作機械同様の作動が可能である。握り１３の区域には、後方へ向かって開いた、減衰部材４０用の凹部４３と、外殻部材２５に設けられた補剛リブ４５用の切欠き４４と、第２取り付け箇所３１に設けられた受容開口３７と、第１取り付け箇所３０に設けられた突出部３４とが、外部から見える。
【００１５】
握り１３を効果的に緩衝するために、凹部４３内へは減衰部材４０がはめ込まれる。この目的のためには、機械ケーシング１１の双方のケーシング外殻を分離し、それらの間に減衰部材４０を挿入せねばならない。双方のケーシング外殻が継ぎ合わされた後には、減衰部材４０は、縁部４０ａを介して握り１３及び機械ケーシング１１内に形状係合式に保持されることになる。外殻部材２５を取り付けるには、まずラグ３６を受容開口３７へ挿入し、次いで、第１取り付け箇所３０の側の端部を、握り１３に押し付けることによって、舌状部３２が突出部３４のところで弾性的にたわみ、最後に係止鉤３３が突出部３４の背後に係止され得る。これで、外殻部材２５は、工具なしで手持ち式工作機械１０へ付加取り付けされ、矢印４８の方向へ押圧力を加えられていない状態の、図３に示した休止位置を占める。外からは見えないため、破線で示した機械ケーシング１１の輪郭１１ａ，２５ａと外殻部材２５との間には、第２取り付け箇所３１の区域に、遊びｓが存在している。その場合、機械ケーシング１１と外殻部材２５との間には、減衰部材４０が間挿されており、それにより外殻部材２５が、予圧によって握り１３から離れる方向で機械ケーシング１１に設けたストッパ３８の方向へ押し付けられる。このため、遊びは、最大値ｓに制限される。外殻部材２５は、例えば、２つの外殻から成る機械ケーシング１１を開くことで取り外すことが可能である。なぜなら、その場合には、係止鉤３３が、突出部３４のところを横方向に移動可能だからである。しかし、また握りのケーシングに開口を設けて、舌状部３２が、この開口を介して、突出部３４のところで解離する方向で押し返され得るようにすることも考えられる。
【００１６】
図４には、手持ち式工作機械１０が作業状態で示されている。この場合、外殻部材２５へ使用者により押圧力が加えられている。減衰部材４０は、それによって最大で遊びｓだけ弾性変形される。外殻部材２５は、その場合、少なくともそのラグ３６が機械ケーシング１１に接触する。
【図面の簡単な説明】
【図１】手持ち式工作機械の握り部分の断面図である。
【図２】減衰部材を取り外して示した握り部分の側面図である。
【図３】減衰部材が押圧されていない状態で示された、不使用時の握り部分の側面図である。
【図４】使用時に減衰部材が押圧された状態で示された、図３の握り部分の側面図である。
【符号の説明】
１０  手持ち式工作機械、  １１  機械ケーシング、  １２  駆動モータ、  １３  握り、  １４  スイッチ、  １５  押しボタン、  １８  握りの自由端、１９  補剛スリーブ、  ２１  押圧方向、  ２４  背面部、  ２５  外殻部材、  ２６  基体、  ２７  上張り、  ３０  第１取り付け箇所、  ３１  第２取り付け箇所、  ３２  舌状部、  ３３  係止鉤、  ３４  突出部、  ３６  ラグ、  ３７  受容開口、  ３８  オーバハング（ストッパ）、  ４０  減衰部材、４１  支持面、  ４２  接触面、  ４３  凹部、  ４３  切欠き
【図１】
0004125812.tif 000002
【図２】
0004125812.tif 000003
【図３】
0004125812.tif 000004
【図４】
0004125812.tif 000005